(57)【要約】  【課題】  ドレンホースの取り付け状態を安定化させる。ドレンホースの取り外し形態を工事用とサービス用とで異ならせる。  【解決手段】  ドレンホース５をドレンコック２に圧入するとき、ドレン固定具３はドレンコック２の上側の位置でドレンコック２の軸方向に平行な方向から本体１に工事用ネジ６により固定し、ドレンホース５に止着したドレン金具４はドレンコック２の下側の位置でドレンコック２の軸方向に平行な方向からドレン固定具２にサービス用ネジ７により固定する。【選択図】  図１
2006145063.tif 000002
【特許請求の範囲】
【請求項１】
本体にドレンパンからの排水を排出するドレンコックを設け、該ドレンコックに対してドレン固定具によりドレンホースを取り付ける構造を有する空気調和機において、
前記ドレン固定具は、前記ドレンホースを着脱自在に保持する部分と前記本体に対して着脱自在に取り付けられる別の部分とを有することを特徴とする空気調和機。
【請求項２】
請求項１に記載の空気調和機において、
前記ドレンホースに、前記ドレン固定具に着脱自在に取り付けられる第１固定部を設けるとともに、前記ドレン固定具に、前記第１固定部に対応する第１被固定部および前記本体に着脱自在に取り付けられる第２固定部を設け、前記本体に前記第２固定部に対応する第２被固定部を設けたことを特徴とする空気調和機。
【請求項３】
請求項２に記載の空気調和機において、
前記ドレンコックを前記本体背面側に設け、前記第２固定部は前記第２被固定部に対して前記ドレンコックよりも上側の位置で取り付けられるようにしたことを特徴とする空気調和機。
【請求項４】
請求項２又は３に記載の空気調和機において、
前記第１固定部は前記第１被固定部に対して前記本体下面方向から取り付けられるようにしたことを特徴とする空気調和機。
【請求項５】
請求項２又は３に記載の空気調和機において、
前記第１被固定部をスリット形状とし、前記第１固定部は前記第１被固定部に対して回転により係止されるようにしたことを特徴とする空気調和機。
【請求項６】
請求項２に記載の空気調和機において、
前記第１固定部と前記第１被固定部との間、および／又は前記第２固定部と第２被固定部との間を、爪による係止構造により係止するようにしたことを特徴とする空気調和機。
【発明の詳細な説明】
【技術分野】
【０００１】
本発明は、本体から突出するドレンコックにドレンホースを取り付ける構造について改良を図った空気調和機に関するものである。
【背景技術】
【０００２】
空気調和機では、その冷房運転やドライ運転の際に、室内機の熱交換機に凝縮水が発生してドレンパンに溜まり、その凝縮水がドレンパンから溢れると、ドレンコックからドレンホースを介して室外に排出される。ドレンホース５は、図８に示すように、空気調和機の据付工事時に本体１の裏面に突出するドレンコック２に対して圧入して取り付けている。あるいは金具を使用して取り付けている（例えば、特許文献１参照）。
【特許文献１】特願２００４−０９３０４９号公報
【発明の開示】
【発明が解決しようとする課題】
【０００３】
ところが、ドレンコックにドレンホースを圧入して取り付ける方式はドレンホースが抜けやすい問題があり、一方、金具を使用する方式は一旦取り付けた後にドレンホースを左右の一方のドレンコックから他方のドレンコックに付け替える場合や、室内機を修理する際の一時的なドレンホースの取り外し等の場合に、その作業が困難になるという問題がある。
【０００４】
本発明の目的は、ドレンホースを一旦取り付けた後はその取り付け状態が安定し、しかもドレンホースを左右の一方のドレンコックから他方のドレンコックに付け替える場合や、室内機を修理する際の一時的なドレンホースの取り外し等が容易となったドレンホース取付構造を有する空気調和機を提供することである。
【課題を解決するための手段】
【０００５】
請求項１にかかる発明は、本体にドレンパンからの排水を排出するドレンコックを設け、該ドレンコックに対してドレン固定具によりドレンホースを取り付ける構造を有する空気調和機において、前記ドレン固定具は、前記ドレンホースを着脱自在に保持する部分と前記本体に対して着脱自在に取り付けられる別の部分とを有することを特徴とする。
【０００６】
請求項２にかかる発明は、請求項１に記載の空気調和機において、前記ドレンホースに、前記ドレン固定具に着脱自在に取り付けられる第１固定部を設けるとともに、前記ドレン固定具に、前記第１固定部に対応する第１被固定部および前記本体に着脱自在に取り付けられる第２固定部を設け、前記本体に前記第２固定部に対応する第２被固定部を設けたことを特徴とする。
【０００７】
請求項３にかかる発明は、請求項２に記載の空気調和機において、前記ドレンコックを前記本体背面側に設け、前記第２固定部は前記第２被固定部に対して前記ドレンコックよりも上側の位置で取り付けられるようにしたことを特徴とする。
【０００８】
請求項４にかかる発明は、請求項２又は３に記載の空気調和機において、前記第１固定部は前記第１被固定部に対して前記本体下面方向から取り付けられるようにしたことを特徴とする。
【０００９】
請求項５にかかる発明は、請求項２又は３に記載の空気調和機において、前記第１被固定部をスリット形状とし、前記第１固定部は前記第１被固定部に対して回転により係止されるようにしたことを特徴とする。
【００１０】
請求項６にかかる発明は、請求項２に記載の空気調和機において、前記第１固定部と前記第１被固定部との間、および／又は前記第２固定部と第２被固定部との間を、爪による係止構造により係止するようにしたことを特徴とする。
【発明の効果】
【００１１】
請求項１，２にかかる発明によれば、ドレンコックに対するドレンホースの着脱は、２カ所のいずれでも可能となり、その作業が容易になると共に、そのドレンホースの取付状態は安定化する。
【００１２】
請求項３にかかる発明によれば、ドレン固定具の第２固定部が本体の第２被固定部に対してドレンコックよりも上側の位置で取り付けられ、この取付位置はドレンホースでは隠れない位置であるので、第１固定部がドレンホースにより隠れていても、工事業者は第２固定部によりそのドレンホースを付け替えることができ、工事時の作業性が向上する。
【００１３】
請求項４にかかる発明によれば、第１固定部が第１被固定部に対して本体下面方向から取り付けられるので、本体下方から作業を行うサービス時（一時的なドレンホースの取り外し時）には、第２固定部によらず、第１固定部によりその工事を行うことができ、サービス時の作業性が向上する。
【００１４】
請求項５あるいは請求項６にかかる発明によれば、着脱作業にネジが不要となり、作業性が向上する。
【発明を実施するための最良の形態】
【００１５】
本実施例では、ドレンコックに圧入されるドレンホースを第１固定部によりドレン固定具の第１被固定部に着脱自在に取り付け、ドレン固定具は第２固定部により本体の第２被固定部に着脱自在に取り付け、２カ所のいずれでもドレンホースの着脱が可能なようにする。以下、詳しく説明する。
【実施例１】
【００１６】
図１は本発明の実施例１のドレンホース取付構造の説明図である。１は室内機の熱交換器の下部に位置するドレンパン背面の本体、２はその本体１から背面方向に突出するよう形成されたドレンコック、３はドレン固定具、４はドレン金具（第１固定部）、５はドレンホース、６は工事用ネジ、７はサービス用ネジである。
【００１７】
ドレン固定具３には、ドレンホース５が挿通可能な大きさの孔３ａが中央に、工事用ネジ６挿通用の孔３ｂ（第２固定部）が左上に、サービス用ネジ７のネジ止め用の円柱ボス３ｃ（第１被固定部）が右下に、それぞれ形成されている。また、ドレン金具４はドレンホース５への取付用の略Ｕ字形状の止着部４ａと孔４ｂ１を有するネジ止め部４ｂが設けられ、そのネジ止め部４ｂは止着部４ａに対してドレン固定具３の円柱ボス３ｃの高さに応じたオフセットＡをもつように曲折されている。ドレンホース５にはその先端に形成された周溝５ａ内にドレン金具４の止着部４ａが止着されている。
【００１８】
ドレンホース５をドレンコック２に取り付けるには、まずドレンホース５に止着されたドレン金具４のネジ止め部４ｂをドレン固定具３の円柱ボス３ｃに対してサービス用ネジ７により固定し、ドレンホース５にドレン金具４およびドレン固定具３を一体化する。そして、ドレンホース５をドレンコック２に圧入し、ドレン固定具３を工事用ネジ６によって本体１の被固定部（第２被固定部）に固定する。すなわち、ドレン金具４はドレンコック２の下側の位置でドレンコック２の軸方向に平行な方向からドレン固定具３にサービス用ネジ７により固定し、ドレン固定具３はドレンコック２の上側の位置でドレンコック２の軸方向に平行な方向から本体１に工事用ネジ６により固定する。
【００１９】
以上により、ドレンホース５はドレンコック２に対して脱落不能に圧入される。このとき、工事用ネジ６はドレンコック２の左上側の本体１に取り付けられ、サービス用ネジ７はドレン固定具３の右下側に取り付けられる（図１(c)参照）。このようにして取り付けられたドレンホース５は、工事用ネジ６を取り外せばドレン固定具３と共にドレンコック２から取り外される。また、サービス用ネジ７を取り外せばドレン固定具３から取り外され、このときドレン固定具３はドレンコック２の側に残る。
【００２０】
梱包状態の室内機は、図２に示すように、ドレンホース５が本体１の背面左下側のドレンコック２に取り付けられて右方向に曲折（５Ａ）されている。据付工事では梱包を外してこのまま壁面に取り付けることもあるが、壁面に穿った穴の位置によっては、ドレンホース５を本体１の背面右下側のドレンコック２’に付け替える必要が生じる。この場合は、ドレンホース５を左下側のドレンコック２から取り外す必要がある。このとき、サービス用ネジ７は曲折したドレンホース５で隠れているが、ドレンコック２よりも上側にある工事用ネジ６は背面に露出しているので、この工事用ネジ６を外すことにより簡単にそのドレンホース５をドレンコック２からはずして右下側のドレンコック２’に付け替えることができる。なお、図２ではドレン固定具４およびドレン金具４は省略した。
【００２１】
また、一旦据え付けた室内機のドレンホース５を本体１の背面の左下側のドレンコック２から右下側のドレンコック２’に、あるいはその逆に付け替える場合（これは室内機の取付位置を変更するような場合に発生する）にも、工事用ネジ６を取り外してドレン固定具３と一緒に取り付け替えることで簡単に行える。このとき、ドレンホース５の引出方向は、図２に示すように、室内機の真裏方向（５B)、下方向（５C)又は横外側方向（５D)であるので、下側で行うサービス用ネジ６の取り外しや締め付け作業に場合に比べて、上側で行う工事用ネジ６の取り外しや締め付け作業の方が容易となり、作業性が向上する。
【００２２】
なお、以上の説明では、工事用ネジ６の本体１へのネジ止め位置は、図１(c)に示すように、ドレンコック２の左上である。この位置は図２に示すように、ドレンコック２が本体１の裏面の左下側にある場合に好適である。しかし、本体１の右下側に設けられたドレンコック２’にドレンホース２を取り付ける場合は、裏面右側に作業スペースができるので、工事用ネジ６の本体１へのネジ止め位置は、ドレンコック２’の右上が好ましい。すなわち、工事用ネジ６のネジ止め位置はドレンコック２の側では上側、上左側あるいは左側、ドレンコック２’の側では上側、上右側あるいは右側であれば、ドレンホース５で隠れないため作業がし易い。
【００２３】
一方、室内機の外装ケースを外すような、例えば修理や清掃のようなサービスの場合には、室内機を壁面から浮かして下方から作業することになるので、下側のサービス用ネジ７を取り外してドレンホース５を一時的に取り外せば済む。このとき、上側の工事用ネジ６を取り外すことに比べて、下側のサービス用ネジ７を取り外す作業は極めて簡単となり、サービス性が向上する。
【実施例２】
【００２４】
図３は本発明の実施例２のドレンホース取付構造の説明図である。実施例１とはドレン固定具３Ａとドレン金具４Ａ（第１固定部）が異なり、その他は同じである。ドレン固定具３Ａにはサービス用ネジ７を下側から挿入できるような孔３ｄ１を有する角柱ボス３ｄ（第１被固定部）が形成されている。またドレン金具４Ａは孔４ｃ１を持つネジ止め部４ｃを有する。
【００２５】
本実施例２では、ドレンホース５に取り付けたドレン金具４Ａのネジ止め部４ｃがドレン固定具３Ａの角柱ボス３ｄの上に載るようにドレンホース５をドレンコック２に圧入して、下側からサービス用ネジ７により、そのネジ止め部４ｃを角柱ボス３ｄに取り付ける。すなわち、ドレン金具４Ａはドレンコック２の軸方向に直交する下方向からドレン固定具３Ａにサービス用ネジ７により固定し、ドレン固定具３Ａはドレンコック２の上側の位置でドレンコック２の軸方向に平行な方向から本体１に工事用ネジ６により固定する。このようにすると、工事用ネジ６によりドレン固定具３Ａを本体１に取り付けたとき、サービス用ネジ７が本体１の下方向を向くようになる。
【００２６】
このため、室内機を壁面から浮かして下方から作業するサービス時には、ドレンホース４を取り外すときに下側を向くサービスネジ７の取り外しが極めて簡単となり、サービス性がより向上する。
【実施例３】
【００２７】
図４は本発明の実施例３のドレンホース取付構造の説明図である。ここでは、本体１のの底面から見た図を示している。実施例１とはドレン固定具３Ｂ、３Ｂ’が異なり、その他は同じである。ドレン固定具３Ｂと３Ｂ’は対称な形状であり、それぞれ底面からみて左のドレンコック２の側、右のドレンコック２’側の本体１の底面にサービス用ネジ７によって取り付けられる。ドレン固定具３Ｂには底面からみて左側（外側）にボス３ｅ（第１被固定部）が形成され、ドレン固定具３Ｂ’は底面からみて右側（外側）にボス３ｅ’（第１被固定部）が形成されている。
【００２８】
本実施例３では、ドレン固定具３Ｂ，３Ｂ’はドレンコック２，２’の軸方向に直交する下方向からサービス用ネジ７、７’により本体１の底面に固定し、ドレン金具４Ｂはドレンコック２、２’の軸方向に平行な方向からドレン固定具３Ｂ、３Ｂ’に工事用ネジ６により固定する。
【００２９】
ドレンホース５を室内機裏面の左側のドレンコック２から右側のドレンコック２’に、あるいはその逆に付け替える場合には、工事用ネジ６を取り外して行う。一方、室内機の外装ケースを外す修理や清掃のようなサービスの場合には、実施例２と同様に下方を向くサービス用ネジ７を取り外してドレンホース５とドレン金具４とドレン固定具３Ｂあるいは３Ｂ’を一緒に取り外せば済む。
【実施例４】
【００３０】
図５は本発明の実施例４のドレンホース取付構造の説明図である。実施例１とはドレン固定具３Ｃとドレン金具４Ｃ（第１固定部）が異なり、その他は同じである。ドレン金具４Ｃは折り曲げていない係止片４ｄを有し、ドレン固定具３Ｃにはこの係止片４ｄが係止するスリット３ｆ１を有する鍔部３ｆ（第１被固定部）が形成されている。
【００３１】
本実施例４では、ドレンホース５に取り付けたドレン金具４Ｃの係止片４ｄをドレン固定具３Ｃに押し付けてから回転させることにより、鍔部３ｆのスリット３ｆ１に係止させて、ドレン金具４Ｃをドレン固定具３Ｃに取り付ける。すなわち、ドレン金具４Ｃはドレンホース５と共に回転させることによりドレン固定具３Ｃに形成されたスリット３ｆ１に係止固定し、ドレン固定具３Ｃはドレンコック２の上側の位置でドレンコック２の軸方向に平行な方向から本体１に工事用ネジ６により固定する。したがって、実際にはドレンホース５をドレンコック２に圧入し回転させて取り付けることになる。取り外しは、逆の操作を行えばよい。本実施例４ではサービス用ネジ７は不要となる。
【実施例５】
【００３２】
図６は本発明の実施例５のドレンホース取付構造の説明図である。実施例１とはドレン固定具３Ｄとドレン金具４Ｄ（第１固定部）が異なり、その他は同じである。ドレン金具４Ｄはドレンホース５の周溝５ａに結合される止着部４ａに連続するように弾性片４ｆが形成され、その弾性片４ｆには爪４ｆ１が形成されている。また、ドレン固定具３Ｄにはこの爪４ｆ１が係止する係止片３ｇ（第１被固定部）が形成されている。
【００３３】
本実施例５では、ドレンホース５の周溝５ａにドレン金具４Ｄを取り付け、そのドレン金具４Ｄの爪４ｆ１をドレン固定具３Ｄの係止片３ｇに係止してから、ドレンホース５をドレンコック２に圧入させて、そのドレン固定具３Ｄを工事用ネジ６により本体１に固定する。すなわち、ドレン金具４Ｄはドレンコック２の軸方向に押し込み弾性片４ｆの４ｆ１をドレン固定具３Ｄの係止片３ｇに係止させることにより固定し、ドレン固定具３Ｄはドレンコック２の軸方向の上側の位置で該軸方向に平行な方向からドレンパン２に工事用ネジ６により固定する。本実施例５でもサービス用ネジ７は不要となる。
【００３４】
サービス時には弾性片４ｆを押さえて爪４ｆ１をドレン固定具３Ｄの係止片３ｇから外せば、ドレン金具４Ｄと共にドレンホース５を取り外すことができ、室内機を壁面から浮かせて行うサービスに対応することができる。また、工事用ネジ６を外せばドレン固定具３Ｄおよびドレン金具４Ｄを一体としてドレンホース５を取り外すことができる。
【実施例６】
【００３５】
図７は本発明の実施例６のドレンホース取付構造の説明図である。実施例１とはドレン固定具３Ｅとドレン金具４Ｅ（第１固定部）が異なり、その他は同じである。ドレン金具４Ｅはドレンホース５の周溝５ａに結合される止着部４ａに連続するように係止片４ｇが形成され、その係止片４ｇに係止孔４ｇ１が形成されている。また、ドレン固定具３Ｅには弾性片３ｈ（第１被固定部）が形成され、その弾性片３ｈに爪３ｈ１が形成されている。
【００３６】
本実施例５では、ドレンホース５の周溝５ａにドレン金具４Ｅを取り付け、そのドレン金具４Ｅの係止孔４ｇ１にドレン固定具３Ｅの弾性爪３ｈ１が挿入係止されるように押し込んでから、そのドレン固定具３Ｅを工事用ネジ６により本体１に固定する。すなわち、ドレン金具４Ｅはドレンコック２の軸方向に押し込むことによりドレン金具４Ｅの係止孔４ｇ１をドレン固定具３Ｅの爪３ｈ１に係止させて固定し、ドレン固定具３Ｅはドレンコック２の軸方向の上側の位置で該軸方向に平行な方向から本体１に工事用ネジ６により固定する。本実施例６でもサービス用ネジ７は不要となる。
【００３７】
サービス時には弾性片３ｈを押さえて弾性爪３ｈ１をドレン金具４Ｅの係止孔４ｇ１から外せばドレンホース５を取り外すことができる。工事用ネジ６を外せばドレン固定具３Ｅとドレン金具４Ｅを一体としてドレンホース５を取り外すことができる。
【図面の簡単な説明】
【００３８】
【図１】実施例１のドレンホース取付構造の説明図である。
【図２】本体裏面からのドレンホースの引出形態の説明図である。
【図３】実施例２のドレンホース取付構造の説明図である。
【図４】実施例３のドレンホース取付構造の説明図である。
【図５】実施例４のドレンホース取付構造の説明図である。
【図６】実施例５のドレンホース取付構造の説明図である。
【図７】実施例６のドレンホース取付構造の説明図である。
【図８】従来のドレンホース取付構造の説明図である。
【符号の説明】
【００３９】
１：本体
２，２’：ドレンコック
３，３Ａ，３Ｃ，３Ｄ，３Ｅ：ドレン固定具
３ａ：孔、３ｂ：孔（第２固定部）、３ｃ：円柱ボス（第１被固定部）、３ｄ：角柱ボス（第１被固定部）、３ｅ，３ｅ’：ボス（第１被固定部）、３ｆ：鍔部（第１被固定部）、３ｇ：係止片（第１被固定部）、３ｈ：弾性片（第１被固定部）
４，４Ａ，４Ｂ，４Ｃ，４Ｄ，４Ｅ：ドレン金具（第１固定部）
４ａ：止着部、４ｂ，４ｃ：ネジ止め部、４ｄ：係止片、４ｆ：弾性片、４ｇ：係止片
５，５Ａ，５Ｂ，５Ｃ，５Ｄ：ドレンホース
６：工事用ネジ
７，７’：サービス用ネジ
【図１】
2006145063.tif 000003
【図２】
2006145063.tif 000004
【図３】
2006145063.tif 000005
【図４】
2006145063.tif 000006
【図５】
2006145063.tif 000007
【図６】
2006145063.tif 000008
【図７】
2006145063.tif 000009
【図８】
2006145063.tif 000010